(57)【要約】【課題】開閉部を有する電子機器の頻繁な開閉操作によるケーブルや基板の屈曲負担をなくし、回転軸上の部品配置を可能とする。【解決手段】電子機器筐体の接合部材は、２つの回動部と光導波部品を備えたヒンジ構造で、第１の回動部側の発光体の光信号を受信するように第２の回動部側に入力コア端面の軸線の向きを円筒状に整列させた光導波部品を設置して、ヒンジ構造を回動運動させても第１の回動部側の発光体の光信号を第２の回動部側で受信する。また、上記光導波部品は、複数の入力コア端面より入力された光信号を出力端面に出力する光導波路を備え、一定の軌跡上を光導波部品に対して相対的に移動する発光体の光信号を受信可能な領域に入力コア端面を配置し、入力コア端面のいずれかより光信号が入力された場合にはその信号を出力端面より出力する。【選択図】図３
2006195222.tif 000002
【特許請求の範囲】
【請求項１】
複数の入力コア端面より入力された光信号を出力端面に出力する光導波路を有する光導波部品であって、
一定の軌跡上を前記光導波部品に対して相対的に移動する発光体が出力する光信号を受信可能な領域に前記入力コア端面を配置し、
前記入力コア端面のいずれかより前記発光体が出力した光信号が入力された場合にはその信号を前記出力端面より出力するように構成したことを特徴とする光導波部品。
【請求項２】
光導波路パターンがシート状の可撓性基材に形成され、前記発光体の軌跡形状を模した形状面部を有するガイド物の表面に沿って設置することができることを特徴とする請求項１記載の光導波部品。
【請求項３】
光導波路パターンがシート状の可撓性基材に形成され、前記入力コア端面が環状もしくは環状の一部に配置されるように円筒形状に巻くことができることを特徴とする請求項１または２記載の光導波部品。
【請求項４】
第１および第２の回動部を有し、
請求項１から３のいずれかに記載の光導波部品を備えたヒンジ構造の接合部材であって、
第１の回動部側に設置される発光体の出力する光信号を受信するように第２の回動部側に前記入力コア端面の軸線の向きを円筒状に整列させて前記光導波部品を設置し、
ヒンジ構造を回動運動させた場合であっても第１の回動部側に設置した発光体の出力する光信号を第２の回動部側で受信することを特徴とする接合部材。
【請求項５】
第１および第２および第３の回動部を有し、
請求項１から３のいずれかに記載の第１および第２の光導波部品を備えた直交する２つの回転軸に対し回動可能な二軸ヒンジ構造の接合部材であって、
第１の回動部側に設置される発光体の出力する光信号を受信するように第２の回動部に前記入力コア端面の軸線の向きを円筒状に整列させて第１の前記光導波部品を設置し、
第２の回動部に設置された第１の前記光導波部品の出力する光信号を受信するように第３の回動部側に前記入力コア端面の軸線の向きを円筒状に整列させて第２の前記光導波部品を設置し、
二軸ヒンジ構造をいずれの回転軸に沿って回動運動させた場合であっても第１の回動部側に設置した発光体の出力する光信号を第２の回動部を経由して第３の回動部側で受信することを特徴とする接合部材。
【請求項６】
請求項４または５記載の接合部材を介して連結された第１筐体および第２筐体を備え、
前記第１筐体および前記第２筐体との間で光通信処理することを特徴とする携帯端末機器。
【請求項７】
請求項４または５記載の接合部材を介して連結された第１筐体および第２筐体を備え、
前記第１筐体および前記第２筐体との間で光通信処理することを特徴とする電子機器。
【発明の詳細な説明】
【技術分野】
【０００１】
本発明は、光導波部品、光導波部品を用いた接合部材および電子機器に関し、特に、複数の筐体を互いに可動接合する接合部に光導波部品を用いて各筐体間でデータ通信する携帯端末機器に関する。
【背景技術】
【０００２】
操作部と画面表示部を使用者が適する角度に折り曲げて使用する電子機器、例えば、液晶表示画面部が可動するビデオカメラや、いわゆる折り畳み式の携帯電話などが実用化されている。これら可動部を持つ多くの電子機器では、複数の筐体をヒンジ構造の接合部材を用いて接合し、ケーブルあるいはフレキシブル基板を接合部材内に通して各筐体内の基板どうしを接続し通信している。この場合、筐体が動くことによりケーブルの伸びや断線等が発生しにくいように可動角度の制限を設けたり、配線やフレキシブル基板の変異量が少なくなるように引き回したりして経年使用による劣化や破損を防止する必要がある。
【０００３】
ここで、２つの回路基板の間で電気的な配線の代わりに光学的な通信リンクを形成してケーブルやフレキシブル基板の上記課題を解決する従来技術として、次のようなものが知られている。すなわち、光信号を発光し受光するための電気光学部品をそれぞれの回路基板に設けて、電気光学部品の出す光信号をキャビティならびに反射表面を介しヒンジ構造部の回転軸上を通って相手側の電気光学素子が受光できるような光学的経路を持つ光学的ヒンジを形成し、ヒンジ構造部を回転軸に沿って運動させた場合においても回路基板間の光学ガイドとして作用し、光学信号でデータ搬送を可能とする方法が知られている（例えば特許文献１参照）。
【特許文献１】特表２００４−５０８５９９号公報（第４２頁、図３）
【発明の開示】
【発明が解決しようとする課題】
【０００４】
しかしながら、上記従来技術では、データ搬送する光学的経路である導波路をヒンジ構造物の回転軸に一致して構成しなければならず、回転軸を含む空間へ軸材などの構造部品や電気光学部品を配置することができないという問題があった。また、上記従来技術では、電気光学部品の出力する光信号を反射させる位置をずらして、ヒンジ構造物の回転軸を中心とする円周上で受光し、ヒンジ回転角度を検知処理する構成を示している。しかし、対向するキャビティ部で受光した後にさらに別の光学的ヒンジ構造物を経由させて通信する方法、例えば、二軸ヒンジ構造物内を光学的に接続して回路基板間をデータ伝達する方法については示しておらず、示唆もない。
【０００５】
上記課題に鑑み、本発明は、筐体の一定の軌跡、特に、環状もしくは環状の一部の軌跡を相対的に移動する発光体が出力する光信号を入力し、出力する光導波部品を提供することを目的とする。また、本発明は、回動運動や開閉運動あるいはその両方の運動をさせた場合であっても一方の回動部材側に設置した発光体の出力する光信号を受信して他方の回動部材側へ伝達する接合部材を提供することを目的とする。また、本発明は、筐体間で光通信し、複数の筐体で構成され回動部もしくは開閉部を有する電子機器について、接合部の頻繁な回転もしくは開閉操作による通信ケーブルやフレキシブル基板の屈曲に対する負担を軽減するとともに、回転軸上にも部品配置可能な電子機器、特には、携帯端末機器を提供することを目的とする。
【課題を解決するための手段】
【０００６】
上記目的を達成するために、本発明の光導波部品では、複数の入力コア端面より入力された光信号を出力端面に出力する光導波路を有する光導波部品において、一定の軌跡上を光導波部品に対して相対的に移動する発光体が出力する光信号を受信可能な領域に入力コア端面を配置し、いずれかの入力コア端面より発光体が出力した光信号が入力された場合にはその信号を出力端面より出力するように構成している。
【０００７】
また、本発明の光導波部品では、光導波路パターンをシート状の可撓性基材に形成し、発光体の軌跡形状を模した形状面部を有するガイド物の表面に沿って設置している。
【０００８】
また、本発明の光導波部品では、光導波路パターンをシート状の可撓性基材に形成し、入力コア端面が環状もしくは環状の一部に配置されるように円筒形状に巻いている。
【０００９】
また、本発明の接合部材では、第１および第２の回動部を有し、光導波部品を備えたヒンジ構造の接合部材であって、第１の回動部側に設置される発光体の出力する光信号を受信するように第２の回動部側に入力コア端面の軸線の向きを円筒状に整列させた光導波部品を設置し、ヒンジ構造を回動運動させた場合であっても第１の回動部側に設置した発光体の出力する光信号を第２の回動部側で受信している。
【００１０】
また、本発明の接合部材では、第１および第２および第３の回動部を有し、第１および第２の光導波部品を備えた直交する２つの回転軸に対し回動可能な二軸ヒンジ構造の接合部材において、第１の回動部側に設置される発光体の出力する光信号を受信するように第２の回動部に入力コア端面の軸線の向きを円筒状に整列させた第１の光導波部品を設置し、第２の回動部に設置された第１の光導波部品の出力する光信号を受信するように第３の回動部側に入力コア端面の軸線の向きを円筒状に整列させた第２の光導波部品を設置し、二軸ヒンジ構造をいずれの回転軸に沿って回動運動させた場合であっても第１の回動部側に設置した発光体の出力する光信号を第２の回動部を経由して第３の回動部側で受信している。
【００１１】
また、本発明の携帯端末機器、および、電子機器では、接合部材を介して連結された第１筐体および第２筐体を備え、第１筐体および前記第２筐体との間で光通信処理する。
【発明の効果】
【００１２】
本発明は、複数の入力コア端面より入力された光信号を出力端面に出力する光導波路を備え、一定の軌跡上を光導波路に対して相対的に移動する発光体の光信号を受信可能な領域に複数の入力コア端面を配置することにより、入力コア端面のいずれかより光信号が入力された場合にはその信号を出力端面より出力する効果のある光導波部品を提供することができる。
【００１３】
また、２つの回動部と上記光導波部品を備えたヒンジ構造で、第１の回動部側の発光体の光信号を受信するように第２の回動部側に入力コア端面の軸線の向きを円筒状に整列させた光導波部品を設置することにより、ヒンジ構造を回動運動させても第１の回動部側の発光体の光信号を第２の回動部側で受信する効果のある接合部材を提供することができる。
【００１４】
さらに、上記接合部材を介して連結された２つの筐体を備え筐体間で光通信することにより、複数の筐体で構成され回動部もしくは開閉部を有する電子機器について接合部の頻繁な回転もしくは開閉操作による通信ケーブルやフレキシブル基板の屈曲に対する負担を軽減するとともに、回転軸上にも部品配置できる効果のある電子機器、特に、携帯端末機器を提供することができる。
【発明を実施するための最良の形態】
【００１５】
（実施の形態１）
以下、本発明の実施の形態にかかる光導波部品について、図を用いて説明する。図１は、本発明の実施の形態にかかる光導波部品の構成例とその光導波機能を示す概念図である。光導波部品１０は、光信号を入力する複数の入力コア端面１０ａと、光信号を出力する出力端面１０ｃと、入力コア端面１０ａと出力端面１０ｃを接続する光導波路１０ｂを備える。光導波路１０ｂは、いずれかの入力コア端面１０ａより光信号が入力された場合にその光信号を出力端面１０ｃに出力する、くし型の光回路を構成する。
【００１６】
次に、光導波部品１０の機能について説明する。光信号を出力する発光体Ａ１を光導波部品１０の入力コア端面１０ａを配する側に配置する。また、発光体Ａ１は端点Ｐ０と別の端点Ｐｎの間を、中間点Ｐ１を通る図示する経路Ｑ１に沿って移動する。このような配置において、光導波部品１０は、経路Ｑ１の任意の位置で発光体Ａ１が出力する光信号をいずれかの入力コア端面１０ａが受光し、光導波路１０ｂを通して光出力端面１０ｃより出力する。出力端面１０ｃより出力する信号は、出力端面１０ｃより再び発光する、あるいは、光伝送路手段により伝送するなどして受光体Ｂ１に伝達することができる。
【００１７】
以上のように、本発明の実施の形態にかかる光導波部品は、複数の入力コア端面より入力された光信号を出力端面に出力する光導波路を備え、一定の軌跡上を光導波部品に対して相対的に移動する発光体の光信号を受信可能な領域に入力コア端面を配置することにより、入力コア端面のいずれかより光信号が入力された場合にはその信号を出力端面より出力する。
【００１８】
なお、上記実施の形態の説明では、光導波部品の形状について、図１に示したような光信号を伝播する光導波路を構成するコア部全体をクラッド部で挟み形成する形態として説明したが、複数のファイバー状の光導波部品と１本のファイバー状の光導波部品を融着する形状に形成する形態としてもよい。
【００１９】
また、上記実施の形態の説明では、発光体Ａ１が移動する形態について説明したが、光発光体Ａ１と光導波部品１０の入力コア端面１０ａとの相対的な位置関係を保つことにより同様の効果を得ることができる。したがって、発光体Ａ１の代わりに光導波部品１０が移動する形態、あるいは、双方が移動する形態としてもよい。
【００２０】
（実施の形態２）
次に、本発明の第２の実施の形態にかかる光導波部品について説明する。本実施の形態にかかる光導波部品は、発光体の運動する誤差あるいは停留場所に応じてそれぞれの入力コア端面を配置するよう構成している。なお、先に示した実施の形態１の説明では、光導波部品１０のそれぞれの入力コア端面１０ａどうしの間隔あるいはその間隔のばらつきや配置などを、図１に示したように経路Ｑ１に沿って等間隔に配置する形態とした。しかし、出力端面で十分な光信号強度が出力される範囲内で、発光体の発する光信号の強度や広がり角度、発光体の光信号を受光すべき経路上の位置と光信号の入射方向などに応じて異なる形態としてもよい。
【００２１】
本発明の実施の形態にかかる光導波部品の入力コア端面の別の配置例について図２を用いて説明する。図２（ａ）は、光導波部品の入力コア端面を高密度に配置する構成例を示している。入力コア端面１１ａを高密度に配置することにより、例えば、波動部品１１の入力コア端面１１ａと発光体Ａ１との距離が多少近接したり離れたりするなど、発光体Ａ１の移動精度に誤差を見込む場合であっても、図示しない出力端面より出力する光信号強度を一定以上に保つよう構成することができる。
【００２２】
また、図２（ｂ）は、光導波部品の入力コア端面を局所的に配置する構成例を示している。入力コア端面１２ａを発光体Ａ１が停留する箇所に局所的に配置することにより、発光体Ａ１が経路上の特定の離散的な数箇所の位置にとどまり、かつ、それらの場所でのみ光導波部品１２を介して発光体Ａ１と通信する場合であっても、通信に使用されない入力コア端面の無駄な配置を防止する効率的な光導波路部品を提供できる。
【００２３】
（実施の形態３）
次に、本発明の第３の実施の形態にかかる光導波部品について説明する。本実施の形態３にかかる光導波部品は、可撓性のあるシート基材で形成し、移動する発光体の経路の形状が曲線形状、例えば波型や円弧などを含む形状であっても、入力コア端面を有する面を変形して発光体の光信号を受光するように構成している。
【００２４】
図３は、本発明の第３の実施の形態にかかる光導波部品の構成例とその光導波機能を示す概念図である。発光体Ａ２は、空間上の点Ｐ０から中間点Ｐ１、Ｐ２を通り再びＰ０に至る図示する環状の経路Ｑ２を移動する。本実施の形態にかかる光導波部品２０は、入力コア端面２０ａを有する面を経路Ｑ２の形状に合わせて環状になるようにシート基材を筒状に形成している。そして、環状に運動する発光体Ａ２の出力する光信号を入力コア端面２０ａより入力して出力端面２０ｃより出力することができる。
【００２５】
次に、本発明の実施の形態３にかかる光導波部品をガイド物の側面に沿って形成する例について図４を用いて説明する。発光体の運動軌跡をガイドする形状の金属製あるいは非金属製のガイド物を形成し、シート状の光導波部品をガイド物に貼り付けるあるいは沿って設置するなどして形成する。可撓性のあるシート基材で形成した光導波部品の形体を発光体の軌跡形状で保ち、入力コア端面へ光信号を正確に入力することができる。
【００２６】
図４（ａ）は、本発明の実施の形態３にかかる光導波部品を円筒状のガイド物の側面に沿って円弧状に形成する例を示している。円筒状のガイド物９１を円形状の形状断面を有する形態とすることにより、運動する発光体の円弧状の経路であっても光信号を受信することができる。
【００２７】
図４（ｂ）は、本発明の実施の形態３にかかる光導波部品を円筒状のガイド物の側面に巻き付けて形成する例を示している。円筒状のガイド物９２に光導波部品２２を１回転分より多く巻きつけて入力コア端面２２ａをらせん形状に形成している。薄い光導波部品２２を多層に巻く形態とすることにより、移動する発光体の軌跡がこのようならせん形状であったり運動の誤差などによりある程度の幅を持ったりする場合であっても、光信号を受信することができる。
【００２８】
以上のように、本発明の実施の形態３にかかる光導波部品は、可撓性のシート状に形成し入力コア端面を有する面を発光体の経路の形状に合わせて形成し、特に、環状に運動する発光体の出力する光信号を受光して出力することができる。また、ガイド物に沿って貼り付ける、あるいは、巻くなどの製品製造工程に利用することができ、製品を組立てる工程において高い利便性を有するという効果がある。
【００２９】
なお、上記実施の形態の説明では、シート基材を筒状にした場合に出力端面付近と重なる部分について図３に示したように湾曲部Ｗを持たせて光導波部品を形成する形態としたが、光信号の入射方向Ｌ１および出力方向Ｌ２に影響を与えない部分についてシート基材の形状や光導波回路の形状を変更して形成してもよいことは言うまでもない。
【００３０】
また、上記実施の形態の説明では、シート形状の光導波部品を配置するガイド物の立体形状について円形や環状の形態としたが、特に制限されるものではなく表面に波型や緩やかな曲面などを有する形状であってもよい。また、ガイド物が特に環状形状である場合に外側側面に配置する形態としたが、当然、内側側面に配置する形態であってもよいのはいうまでもない。また、光導波部品２１の厚みや、入力コア端面２１ａのガイド物９１表面からの距離を勘案し、形成したときに受光に最適に配置される形状断面とする形態であっても当然よい。
【００３１】
（実施の形態４）
次に、本発明の第４の実施の形態にかかる光導波部品を搭載するヒンジを有する電子機器として、折り畳み式携帯端末機器に適用する形態について図５を用いて説明する。
【００３２】
図５は、本発明の実施の形態４にかかる光導波部品をヒンジ部に搭載する折り畳み式携帯端末機器の構造例を示す要部斜視図である。折り畳み式携帯端末機器１００は、２つの筐体３０、３１とそれらを接合する一軸のヒンジ部６０とで構成され、図示するようにＸ軸周りに開閉動作する。第１の筐体３０は、電気回路の基板８０と電気信号と光信号を変換する送信用のアダプタ７０および受信用のアダプタ７２を備え、第２の筐体３１は、電気回路の基板８１と電気信号と光信号を変換する送信用のアダプタ７１および受信用のアダプタ７３を備える。ヒンジ部６０は、第１の筐体３０と接合する箇所に光信号を発光する発光部品４１と光信号を受光する光導波部品５１を備え、第２の筐体３１と接合する箇所に光信号を発光する発光部品４０と光信号を受光する光導波部品５０を備える。なお、送信用のアダプタ７０と発光部品４１、および、受信用のアダプタ７２と光導波部品５０は、それぞれ光伝達部品９０で光接合されている。同様に、送信用アダプタ７１と発光部品４０、および、受信用のアダプタ７３と光導波部品５１はそれぞれ光伝達部品９０で光接合されている。
【００３３】
このとき、発光部品と光導波部品は２つの筐体３０、３１を開閉させた場合にも発光部品の発光する光信号を光導波部品のいずれかの入力コア端面で受光できる向きに設置する。すなわち、折り畳み式携帯端末機器１００をＸ軸で開閉動作させた場合でも、常に、発光部品４０は光導波部品５０の入力コア端面と向かい合い、また、発光部品４１は光導波部品５１の入力コア端面と向かい合うよう設置する。
【００３４】
次に、本実施の形態４にかかる折り畳み式携帯端末機器の動作について説明する。まず、第１の筐体３０内では、基板８０の出力する電気信号を送信用のアダプタ７０で光信号に変換し、その光信号をヒンジ部６０の発光部品４１に伝達する。次にヒンジ部６０内では、発光部品４１が受信した光信号を向かい合う光導波部品５１に対して発光し伝達する。さらに、ヒンジ部６０の光導波部品５１は受光した光信号を、第２の筐体３１内の受信用アダプタ７３に伝達する。受信用アダプタ７３は受信した光信号を電気信号に変換し、基板８１へ伝達する。また、基板８１から基板８０へ信号を伝達する手順も同様であり、送信用アダプタ７１、発光部品４０、光導波部品５０、受信用アダプタ７２を経るように伝達される。
【００３５】
以上のように、本発明の実施の形態４にかかる光導波部品をヒンジ部に搭載する折り畳み式携帯端末機器は、筐体を開閉させても、発光部品および光導波部品を含むヒンジ部を介して、２つの筐体の間で光信号を伝達することができ、さらに、光導波部品を用いることによりヒンジ構造の回転軸上にも部品配置可能な空間を確保できる構成とすることができる。
【００３６】
なお、上記実施の形態では、筐体間の信号伝達を往路と復路で別経路とする形態について説明したが、入出力可能な回路を有する光導波部品とし、発光部品を受発光部品とし、受信用および送信用のアダプタを受送信可能なアダプタとすることにより、往復の信号伝達を同一の経路で伝達する形態としてもよい。
【００３７】
なお、上記実施の形態では、光導波部品を搭載するヒンジを有する電子機器として、折り畳み式携帯端末機器に適用する形態について説明したが、２つの筐体間で光信号通信する電子機器、例えば、表示モニター部を開閉可能な携帯型パソコンや携帯型映像音楽プレーヤ、デジタルビデオカメラなど様々な電子機器に適用できることはいうまでもない。
【００３８】
（実施の形態５）
次に、本発明の第５の実施の形態にかかる光導波部品を搭載する二軸ヒンジを有する電子機器に適用する形態について図６を用いて説明する。本実施の形態にかかる二軸折り畳み式携帯電子機器２００の基本構成および動作は、実施の形態４で示した折り畳み式携帯端末機器１００の基本構成および動作とほぼ同様であるが、ヒンジ部を二軸で構成して一方の筐体からヒンジ部内の光導波部品で信号を受光した後に再び発光して他方の筐体へ伝達する点が異なっている。
【００３９】
図６は、本発明の実施の形態５にかかる光導波部品を二軸ヒンジ部に搭載する二軸折り畳み式携帯端末機器の構造例を示す要部斜視図である。二軸折り畳み式携帯端末機器２００は、２つの筐体３２、３３とそれらを接合する二軸ヒンジ部６１とで構成される。なお、二軸ヒンジ部６１は、図示する２軸すなわちＸ軸とＹ軸をそれぞれ中心にして筐体を折り曲げたり、回転したりできる。第１の筐体３２は、電気回路の基板８２と電気信号と光信号を変換する送信用のアダプタ７４および受信用のアダプタ７６を備え、第２の筐体３３は、電気回路の基板８３と電気信号と光信号を変換する送信用のアダプタ７５および受信用のアダプタ７７を備える。二軸ヒンジ部６１は、第１の筐体３２と接合する箇所に光信号を発光する発光部品４２、４５と光信号を受光する光導波部品５２、５５を備え、第２の筐体３３と接合する箇所に光信号を発光する発光部品４３、４４と光信号を受光する光導波部品５３、５４を備える。なお、送信用のアダプタ７４と発光部品４２、光導波部品５２と発光部品４３、および、光導波部品５３と受信用のアダプタ７７は、それぞれ光伝達部品９０で光接合されている。同様に、送信用アダプタ７５と発光部品４４、光導波部品５４と発光部品４５、および、光導波部品５５と受信用のアダプタ７６は、それぞれ光伝達部品９０で光接合されている。
【００４０】
このとき、発光部品と光導波部品は２つの筐体３２、３３を開閉および回動させた場合にも発光部品の発光する光信号を光導波部品のいずれかの入力コア端面で受光できる向きに設置する。すなわち、Ｘ軸周りの回転移動に対しては、発光部品４３は光導波部品５３
の入力コア端面と向かい合い、発光部品４４は光導波部品５４と向かい合うよう設置する。また、Ｙ軸周りの回転移動に対しては、発光部品４２は光導波部品５２の入力コア端面と向かい合い、発光部品４５は光導波部品５５と向かい合うよう設置する。なお、Ｙ軸周りの回転に対しては、光導波部品５２、５５どうしを図に示すようにそれぞれ異なる内径で丸め、回転軸に垂直な同一面上で２つの発光部品４２、４５の光路が重ならないようにしている。
【００４１】
次に、本実施の形態５にかかる携帯端末機器の動作について説明する。第１の筐体３２から二軸ヒンジ部６１を通じて第２の筐体３３へ信号を次のように伝達する。まず、第１の筐体３２内の基板８２の出力する電気信号を送信用のアダプタ７４で光信号に変換し、その光信号を二軸ヒンジ部６１の発光部品４２へ伝達する。次に、二軸ヒンジ部６１内では、その光信号を発光部品４２から光導波部品５２、発光部品４３の順に経由して光導波部品５３へ伝達する。さらに、その光信号を光導波部品５３から第２の筐体３３内の受信用アダプタ７７へ伝達する。受信用アダプタ７７は受信した光信号を電気信号に変換し、基板８３へ伝達する。また、逆に、第２の筐体３３から第１の筐体３２へ、すなわち、基板８３から基板８２へ信号を伝達する手順も同様であり次のように処理する。送信用のアダプタ７５より、発光部品４４、光導波部品５４、発光部品４５、光導波部品５５、および受信用のアダプタ７６を順に経由して伝達し、最後に電気信号に変換して基板８２へ伝達する。
【００４２】
以上のように、本発明の実施の形態５にかかる光導波部品を二軸ヒンジ部に搭載する二軸折り畳み式携帯端末機器は、実施の形態４と同様に筐体を開閉および回転させても、発光部品および光導波部品を含む２軸ヒンジ部を介して、２つの筐体の間で光信号を伝達することができ、さらに、二軸ヒンジ構造の回転軸上にも部品配置可能な空間を確保できる構成とすることができる。また、二軸ヒンジの光信号の往復路が重なる接合部であっても、２つの光導波部品の入力コア端面をそれぞれ異なる内径で丸めて入力コア端面を重ならないよう同時に光信号通信できる。
【００４３】
なお、上記実施の形態では、二軸ヒンジ部は光導波路部品と発光部品を光伝達部品で光結合する形態としたが、光導波部品の光出力部分と発光部品を直接結合する形態としてもよいし、あるいは、光導波部品の光出力部分をレンズ加工などして直接発光する形態としもよいことはいうまでもない。
【００４４】
また、上記実施の形態では、筐体間の信号伝達を往路と復路で別経路としたが、入出力可能な回路を有する光導波部品とし、発光部品を受発光部品とし、受信用および送信用アダプタを受送信可能なアダプタとすることにより上記実施の形態の半分の構成とし、筐体間の往復の信号伝達を同じ経路で伝達することができる。
【００４５】
また、上記実施の形態では、光導波部品を搭載する二軸ヒンジを有する電子機器として、二軸折り畳み式携帯端末機器に適用する形態について説明したが、２つの筐体間で光信号通信する電子機器、例えば、表示モニター部を開閉および回動可能な携帯型パソコンや携帯型映像音楽プレーヤ、デジタルビデオカメラなど様々な電子機器に当然適用できる。
【産業上の利用可能性】
【００４６】
本発明は、二軸折り畳み式携帯端末機器に利用できるばかりでなく、２つの筐体間で光信号通信を行う構成を取り得る、表示モニター部を開閉および回動可能な携帯型パソコン、携帯型映像音楽プレーヤあるいはデジタルビデオカメラなど様々な電子機器に利用することが可能である。
【図面の簡単な説明】
【００４７】
【図１】本発明の実施の形態１にかかる光導波部品の構成例とその光導波機能を示す概念図
【図２】（ａ）本発明の実施の形態２にかかる光導波部品の入力コア端面を高密度に配置する構成例を示す図（ｂ）本発明の実施の形態２にかかる光導波部品の入力コア端面を局所的に配置する構成例を示す図
【図３】本発明の実施の形態３にかかる光導波部品の構成例とその光導波機能を示す概念図
【図４】（ａ）本発明の実施の形態３にかかる光導波部品を円筒状のガイド物の側面に沿って円弧状に形成する例を示す図（ｂ）本発明の実施の形態３にかかる光導波部品を円筒状のガイド物の側面に巻き付けて形成する例を示す図
【図５】本発明の実施の形態４にかかる光導波部品をヒンジ部に搭載する折り畳み式携帯端末機器の構造例を示す要部斜視図
【図６】本発明の実施の形態５にかかる光導波部品を二軸ヒンジ部に搭載する二軸折り畳み式携帯端末機器の構造例を示す要部斜視図
【符号の説明】
【００４８】
１０、１１、１２、２０、２１、２２、５０、５１、５２、５３、５４、５５    光導波部品
１０ａ、１１ａ、１２ａ、２０ａ、２１ａ、２２ａ    入力コア端面
１０ｂ、２０ｂ    光導波路
１０ｃ、２０ｃ    出力端面
３０、３１、３２、３３    筐体
４０、４１、４２、４３、４４、４５    発光部品
６０    ヒンジ部
６１    二軸ヒンジ部
７０、７１、７４、７５    送信用アダプタ
７２、７３、７６、７７    受信用アダプタ
８０、８１、８２、８３    基板
９０    光伝達部品
９１、９２    ガイド物
Ａ１、Ａ２    発光体
Ｂ１、Ｂ２    受光体
Ｑ１、Ｑ２    経路
１００  折り畳み式携帯端末機器
２００  二軸折り畳み式携帯端末機器
【図１】
2006195222.tif 000003
【図２】
2006195222.tif 000004
【図３】
2006195222.tif 000005
【図４】
2006195222.tif 000006
【図５】
2006195222.tif 000007
【図６】
2006195222.tif 000008